(57)【要約】      （修正有）【解決手段】地下灌漑システム10は、圃場地下に埋設した、たとえば有孔管からなる給水管路12を含む。水槽54内の溶液56中に水中ポンプ58を設置し、この水中ポンプの吐出口から溶液投入管60を通して、幹線管路14内に溶液を投入する。投入された溶液は水中ポンプの圧力によって、幹線管路の上流側から下流側へ流れ、その過程で、幹線管路の管壁の孔から溶液が圃場地下に浸透する。幹線管路内に残った溶液は水中ポンプの圧力によって支線管路18の下流側から上流側へ循環され、その過程で支線管路の管壁の穴から溶液が圃場地下に浸透する。支線管路内に残った溶液は、戻り管62を経て、水槽内に戻される。【効果】既設の給水管路を利用して、液肥や薬液を容易に圃場地下に分配することができる。【選択図】図１
2014187985.tif 000002
【特許請求の範囲】
【請求項１】
圃場の地中に埋設され、用水を地中に供給する供給部および大気に連通する開放部を有する給水管路、
前記給水管路に溶液を投入する投入手段、
前記溶液を前記給水管路内で循環させて、前記供給部から前記溶液を地中に供給する循環手段、および
前記循環手段によって前記溶液を循環させるとき、前記給水管路の前記開放部から溶液が流出するのを防止する流出防止手段を備える、地下灌漑システム。
【請求項２】
前記流出防止手段は、前記開放部を閉塞する閉塞手段を含む、請求項１記載の地下灌漑システム。
【請求項３】
前記循環手段は、前記給水管路内を加圧する加圧手段を含む、請求項１または２記載の地下灌漑システム。
【請求項４】
前記溶液を貯留する水槽をさらに備え、
前記投入手段および前記循環手段は、前記水槽内に設置される水中ポンプを含んで構成され、前記水中ポンプは吸い込み口から前記水槽内の溶液を吸い込み、吐出口から溶液を前記給水管路内に圧送し、さらに
前記給水管路を循環した溶液を前記水槽に戻すための戻し手段を備える、請求項１または２記載の地下灌漑システム。
【請求項５】
前記給水管路は、上流側から下流側へ用水を流す幹線管路と前記幹線管路の下流側に連通して下流側から上流側へ用水を流す支線管路を含み、
前記投入手段は前記幹線管路内に前記溶液を投入する、請求項１ないし４のいずれかに記載の地下灌漑システム。
【請求項６】
圃場の地中に埋設され、用水を地中に供給する供給部を有する給水管路、
前記給水管路に溶液を投入する投入手段、
前記溶液を前記給水管路内で循環させて、前記供給部から前記溶液を地中に供給する循環手段、および、
前記循環手段によって前記溶液を循環させるとき、前記給水管路への用水の流入を遮断する給水遮断手段と前記給水管路からの用水の流出を遮断する排出遮断手段を備える、地下灌漑システム。
【発明の詳細な説明】
【技術分野】
【０００１】
この発明は、地下灌漑システムに関し、特にたとえば、圃場の地中に埋設された有孔管のような給水管路によって灌漑用の水を圃場の地中に供給する、地下灌漑システムに関する。
【背景技術】
【０００２】
この発明の背景技術の一例が特許文献１に開示されている。特許文献１では、水流ポンプによって水田の地下に埋設した水位調整用管路内に強制的に送水することによって、水田内の田面水を循環させ、用水内に投入した肥料や農薬を均一に拡散させるようにしている。肥料や農薬を人手やあるいは大がかりな装置によって散布する必要がなく、経済的、効率的であるという利点がある。
【先行技術文献】
【特許文献】
【０００３】
【特許文献１】特開平６‐２７６８６８号［A01G 25/16 16/00, 25/00］
【発明の概要】
【発明が解決しようとする課題】
【０００４】
しかしながら、特許文献１のシステムは、水田内の田面水を循環させるものであるため、田面水を溜めない、水田以外の畑などの圃場には適用できない。
【０００５】
それゆえに、この発明の主たる目的は、新規な、地下灌漑システムを提供することである。
【０００６】
この発明の他の目的は、液肥や薬液のような溶液を容易に圃場内に分配できる、地下灌漑システムを提供することである。
【課題を解決するための手段】
【０００７】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００８】
第１の発明は、圃場の地中に埋設され、用水を地中に供給する供給部および大気に連通する開放部を有する給水管路、給水管路に溶液を投入する投入手段、溶液を給水管路内で循環させて、供給部から溶液を地中に供給する循環手段、および循環手段によって溶液を循環させるとき、給水管路の開放部から溶液が流出するのを防止する流出防止手段を備える、地下灌漑システムである。
【０００９】
第１の発明では、地下灌漑システム（１０：実施例で相当する部分を例示する参照符号。以下同じ。）は、圃場の地中に埋設され、用水を地中に供給する供給部および大気に連通する開放部を有する給水管路（１２）を含む。投入手段（５４、５８、６０）は、給水管路に溶液（液肥や薬液などを総称する。以下同じ。）を投入し、循環手段（５８、６２）は、溶液を給水管路内で循環させる。溶液の循環の過程で、給水管路に設けた供給部から溶液が圃場地下に浸透する。ただし、循環手段によって溶液を循環させるとき、流出防止手段（６４、６６、６８）は、給水管路の開放部から溶液が流出するのを防止する。
【００１０】
第１の発明によれば、圃場地下に埋設した既設の給水管路を利用して圃場全体に効率的に溶液を分配することができる。
【００１１】
第２の発明は、第１の発明に従属し、流出防止手段は、開放部を閉塞する閉塞手段を含む、地下灌漑システムである。
【００１２】
第２の発明では、流出防止手段は、実施例の逆止弁（６４）や閉塞バルブ（６６）のような閉塞手段を含む。
【００１３】
第２の発明によれば、溶液循環時の溶液の流出が効果的に防止できる。
【００１４】
第３の発明は、第１または第２の発明に従属し、循環手段は、給水管路内を加圧する加圧手段を含む、地下灌漑システムである。
【００１５】
第３の発明では、加圧手段は、たとえば水中ポンプ（５８）を含む。
【００１６】
第４の発明は、第１または第２の発明に従属し、溶液を貯留する水槽をさらに備え、投入手段および循環手段は、水槽内に設置される水中ポンプを含んで構成され、水中ポンプは吸い込み口から水槽内の溶液を吸い込み、吐出口から溶液を給水管路内に圧送し、さらに給水管路を循環した溶液を水槽に戻すための戻し手段を備える、地下灌漑システムである。
【００１７】
第４の発明では、水槽（５４）が圃場に設けられ、その水槽内に溶液（５６）が溜められる。溶液内に水中ポンプ（５８）を設置する。水中ポンプは吸い込み口から水槽内の溶液を吸い込み、吐出口からその溶液を、たとえば溶液投入管（６０）を通して、給水管路（１２）内に圧送する。したがって、給水管路内を溶液が循環する。給水管路内に残った溶液が、戻し手段（６２）によって、水槽内に戻される。
【００１８】
第４の発明によれば、水中ポンプで効率よく溶液を給水管路内に投入と、循環させることができ、さらに、戻し手段で、残った溶液を水槽内に回収するので、溶液の無駄がない。
【００１９】
第５の発明は、第１ないし第４のいずれかの発明に従属し、給水管路は、上流側から下流側へ用水を流す幹線管路と幹線管路の下流側に連通して下流側から上流側へ用水を流す支線管路を含み、投入手段は幹線管路内に溶液を投入する、地下灌漑システムである。
【００２０】
第５の発明では、給水管路（１２）は、幹線管路（１４）および幹線管路に連通する支線管路（１８）を含み、溶液は幹線管路内に投入される。
【００２１】
第５の発明によれば、既設の給水管路をそのまま利用できる。
【００２２】
第６の発明は、圃場の地中に埋設され、用水を地中に供給する供給部を有する給水管路、給水管路に溶液を投入する投入手段、溶液を給水管路内で循環させて、供給部から溶液を地中に供給する循環手段、および、循環手段によって溶液を循環させるとき、給水管路への用水の流入を遮断する給水遮断手段と給水管路からの用水の流出を遮断する排出遮断手段を備える、地下灌漑システムである。
【００２３】
第６の発明では、地下灌漑システム（１０）は、圃場の地中に埋設され、用水を地中に供給する供給部を有する給水管路（１２）を含む。投入手段（５４、５８、６０）は、給水管路に溶液を投入し、循環手段（５８、６２）は、溶液を給水管路内で循環させる。溶液の循環の過程で、給水管路に設けた供給部から溶液が圃場地下に浸透する。ただし、循環手段によって溶液を循環させるとき、給水遮断手段（６４）は給水管路への用水の流入を遮断し、排出遮断手段（６６、６８）は給水管路からの用水の流出を遮断する。
【００２４】
第６の発明によっても、圃場地下に埋設した既設の給水管路を利用して圃場全体に効率的に溶液を分配することができる。
【発明の効果】
【００２５】
この発明によれば、圃場地下に埋設した既設の給水管路を利用して圃場全体に効率的に溶液を分配することができる。
【００２６】
この発明の上述の目的、その他の目的、特徴および利点は、図面を参照して行う以下の実施例の詳細な説明から一層明らかとなろう。
【図面の簡単な説明】
【００２７】
【図１】図１はこの発明の一実施例の地下灌漑システムを示す図解図である。
【図２】図２は図１実施例の上流側の要部を拡大して示す図解図である。
【図３】図３はこの発明の他の実施例の下流側の要部を示す図解図である。
【発明を実施するための形態】
【００２８】
図１を参照して、この実施例の地下灌漑システム１０は、圃場の地中に埋設された給水管路１２を含む。給水管路１２は、上流側（図１の左上：ＵＳ）から下流側（図１の右下：ＤＳ）へ用水を流す幹線管路１４と、この幹線管路１４の下流側の連通部１６において幹線管路１４と連通して左右に分岐する支線管路１８とを含む。支線管路１８は、連通部１６を通して幹線管路１４から供給された用水を下流側から上流側へ流すループを形成する。給水管路１２すなわち幹線管路１４および支線管路１８はそれぞれ、管壁に孔（図示せず）が形成されている有孔管で構成され、その孔から用水を流出させることによって、用水を圃場地下に供給する。これらの孔が、供給部として機能する。ただし、支線管路１８は、上流側においては幹線管路１４とは連通していない。
【００２９】
図１実施例の上流側ＵＳの要部をよく示す図２からよくわかるように、幹線管路１４の上流側は圃場地下から立ち上げられて立ち上がり部２０を形成し、この立ち上がり部２０は圃場の地表上に延び、立ち上がり部２０の管端２２が、実施例の場合にはフォアス（FOEAS）桝と呼ばれる、たとえばコンクリート製の用水桝２４内に臨まされる。用水桝２４内には、用水路（図示せず）のような水源まで延びてその水源から水を用水桝２４内に送り込む取水管２６の管端が収容され、この取水管２６の管端に給水バルブ２８が設けられる。給水バルブ２８を開くことによって、水源から水が、取水管２６を通して用水桝２４内に流入し、用水桝２４内に溜まり、開放端２２から幹線管路１４内に流入する。
【００３０】
初期給水は、このようにして用水桝２４から幹線管路１４に用水を供給することによって、行われる。
【００３１】
取水管２６にはさらに分岐管３０が取り付けられ、分岐管３０は、ボールバルブ３２を介して送水管３４に接続される。送水管３４は、ボールバルブ３２が開いているとき、水位管理器３６内に取水管２６からの水を送る。
【００３２】
水位管理器３６は、上端開放の有底の円筒体３８を含み、この円筒体３８の下部に接続管４０の一端が接続され、接続管４０の他端は用水桝２４の下方において、幹線管路１４の立ち上がり部２０に接続される。つまり、接続管４０を介して、円筒体３８内部と立ち上がり部２０内部が連通する。
【００３３】
水位管理器３６は円筒体３８内に、この円筒体３８内の水位に応じて上下するフロート４２を有し、このフロート４２の中心に上記送水管３４が接続される。送水管３４からの水はフロート４２内を通ってフロート４２の下方の円筒体３８内に流入する。したがってフロート４２の下方の水位が変動し、その水位変動に応じて、フロート４２が上下に変位する。詳しくは、たとえば特開２００８‐２４０９３４号公報に開示されるように、フロート４２の上下方向の変位と連動する弁体（図示せず）が、フロート４２の下方に設けられていて、この弁体に対する弁座が送水管３４の下端に設けられている。
【００３４】
圃場の地下水位が所定レベルより下がったとき、フロート４２が下降し、弁体が弁座を閉塞することはない。したがって、送水管３４は開放され、取水管２６から水位管理器３６内に送られた用水が、接続管４０を通って、立ち上がり部２０から幹線管路１４に供給される。他方、圃場の地下水位が所定レベルより上がったとき、弁体が弁座を閉塞する。したがって、送水管３４が閉塞され、取水管２６から水位管理器３６すなわち幹線管路１４に供給されることはない。つまり、地下水位が上昇してフロート４２が上昇すると、幹線管路１４に供給する用水が停止され、地下水位が下降してフロート４２が下降すると、幹線管路１４に用水が供給される。このようにして、接続管４０から幹線管路１４へ供給される用水の量を調整し、圃場の地下水位を一定またはほぼ一定に維持する。
【００３５】
さらに、幹線管路１４の下流側端部は、図３に示すように、連通１６を越えたあたりから緩やかに下方に傾斜し、その傾斜部４４の下流側端で立ち上がり部４６を形成する。立ち上がり部４６は上端開放でかつ有底の外管４８の底面を貫通して外管４８内に配置され、外管４８の下部に排水管５０が接続される。したがって、幹線管路１４および支線管路１８すなわち給水管路１２での余剰の用水が傾斜部４４から立ち上がり部４６を経て外管４８内に溜まり、そこから排水管５０を経て、排水路５２に排水される。この立ち上がり部４６の管端の上下方向の位置を適宜設定することによって、圃場の地下水位を設定することができるので、立ち上がり部４６、外管４８および排水管５０を総称して、水位設定器といわれている。つまり、所定以上の給水が行われると、立ち上がり部４６の管端から用水が流出するので、地下水位がその管端の高さ以上になることはない。そのため、立ち上がり部４６が水位設定器の一部を構成している。
【００３６】
実施例の地下灌漑システム１０では、初期給水を実行した後では、上記水位管理器３６を用いることによって、圃場地下における地下水位を、水位設定器で設定した一定の排水水位以下の所定水位に維持するようにしている。つまり、初期給水の後は、圃場の地下水位が所定以上のときは幹線管路１４には用水は供給されず、圃場の地下水位が下がったときだけ、水位管理器３６から接続管４０を経て、幹線管路１４に用水が供給される。つまり、給水管路１２内には常に用水が循環されておらず、この実施例の地下灌漑システムは非循環型のシステムである。したがって、そのままでは、液肥や薬液のような溶液を圃場全体に分配する手段として、給水管路１２を利用することはできない。そこで、この実施例では以下のように構成することによって、既設の給水管路１２を利用して溶液を圃場地下に分配できるようにした。
【００３７】
図２に戻って、実施例では用水桝２４の近傍だが、実際には任意の位置の、地表上に水槽５４が設置される。水槽５４内には溶液（液肥および／または薬液）５６が溜められていて、その中に水中ポンプ５８が設置されている。水中ポンプ５８は、吸い込み口（図示せず）から溶液を吸い込み、吐出口（図示せず）から溶液を吐出する。水中ポンプ５８の吐出口は溶液投入管６０を介して幹線管路１４の立ち上がり部２０に連結される。したがって、水中ポンプ５８によって、水槽５４内の溶液５６が、給水管路１２すなわち幹線管路１４内に圧送、投入される。つまり、水中ポンプ５８および溶液投入管６０が溶液投入手段を形成する。
【００３８】
他方、上述のようにループを形成する支線管路１８が戻り管６２を介して水槽５４の内部と連通する。
【００３９】
幹線管路１４の立ち上がり部２０の、水位管理器３６からの接続管４０の接続位置と、水中ポンプ５８の吐出口からの溶液投入管６０の接続位置との間に、逆止弁６４が設けられる。この逆止弁６４は手動で作動される手動弁であってもよいが、好ましくは、電気信号に応じて作動する自動弁である。水位管理器３６には上述のようにフロート４２があり、一見すると、この水位管理器３６を通して幹線管路１４が大気に開放されてはいないが、フロート４２の上は大気であるので、つまり、フロート４２の上に閉塞手段はないので、結局、幹線管路１４すなわち給水管路１２は、フロート４２を介して大気に連通しているということができる。そのために、後述のように溶液を循環させるときに水位管理器３６から溶液が流出するのを防止するために、実施例では、逆止弁６４を設けるのである。
【００４０】
図１を参照して、水位設定器を構成する立ち上がり部４６の管端には閉塞バルブ６６が設けられる。この閉塞バルブ６６も手動で作動される手動弁であってもよいが、好ましくは、電気信号に応じて作動する自動弁である。この閉塞バルブ６６は通常の初期給水時や水位管理時には、開放されている。したがって、通常の場合、立ち上がり部４６（幹線管路１４）すなわち給水管路１２は大気に連通している。そのために、後述のように溶液を循環させるときに水位設定器から溶液が流出するのを防止するために、この実施例では閉塞バルブ６６を設ける。
【００４１】
ただし、閉塞バルブ６６を設ける位置は立ち上がり部６４の管端に限られるものではない。たとえば、傾斜部４４、立ち上がり部６４の途中など、閉塞バルブ６６は排水側（連通部１６から下流）のどこに設けてもよい。
【００４２】
この実施例の地下灌漑システム１０において、給水管路１２を溶液分配手段として利用する場合、まず、水槽５４内に必要な液肥や薬液を必要量入れる。次いで、逆止弁６４および閉塞バルブ６６を、手動弁の場合には手動で,自動弁の場合は電気信号を与えることによって、閉じる。このように逆止弁６４および閉塞バルブ６６を閉じたので、給水管路１２の中を液肥や薬液を循環させても、液肥や薬液が流出または漏出することはない。したがって、逆止弁６４や閉塞バルブ６６は、給水管路１２からの液肥や薬液の流出または漏出を防止する、流出防止手段として、さらには閉塞手段として機能するのである。
【００４３】
なお、給水管路１２には通常、管路内を洗浄するために利用される、洗浄口が設けられる。この洗浄口は,幹線管路１４や支線管路１８の途中に細管を連結し、その細管を立ち上げて、洗浄口となる管端を圃場地表に露出させておく。洗浄口は通常キャップ様のもので閉塞されているので、ここから液肥や薬液が流出することはない。しかしながら、もし、洗浄口が通常開放されている地下灌漑システムの場合には、逆止弁６４や閉塞バルブ６６と同様に、この段階で、洗浄口をたとえばキャップのような何らかの封止手段で封止しておく必要がある。
【００４４】
逆止弁６４や閉塞バルブ６６を閉じた状態で、次に、水槽５４内の水中ポンプ５８を運転を開始する。そうすると、水中ポンプ５８の吸い込み口から溶液を吸い込み、水中ポンプ５８の吐出口から溶液が吐出され、それが溶液投入管６０を経て、幹線管路１４内に入る。水中ポンプ５８は溶液を、圧力をかけて送出するのであるから、幹線管路１４内に圧送された溶液は、上流側から下流側に押し流される。幹線管路１４は前述のように有孔管であるので、幹線管路１４に投入された溶液は、上流側から下流側に流れる過程で、幹線管路１４の管壁に形成された孔から順次圃場地下に浸透する。
【００４５】
ただし、投入された溶液がすべて幹線管路１４から圃場に分配される訳ではない。幹線管路１４内に残った溶液は、連通部１６から支線管路１８に流入する。支線管路１８内に入った溶液は、水中ポンプ５８の圧力によって、下流側から上流側へ循環する。支線線管路１８も有孔管であるので、支線管路１８内に流入した溶液は、下流側から上流側に循環される過程で、支線管路１８の管壁に形成された孔から順次、圃場地下に浸透する。
【００４６】
ただし、流入した溶液がすべて支線管路１８から圃場に流出するものではなく、支線管路１８内に残った溶液は戻り管６２を経て水槽５４内に戻される。つまり、戻し手段として作用する戻し管６２で、給水管路１２すなわち支線管路１８内に残った溶液を水槽内に回収するので、溶液の無駄がない。
【００４７】
このようにして、給水管路１２（幹線管路１４）に投入された液肥や薬液が循環する。そして、その循環の過程で、液肥や薬液が圃場地下に流出することによって、圃場全体に分配されるのである。
【００４８】
上述の実施例では、水位設定器における幹線管路１４の立ち上がり部４６に閉塞バルブ６６を設け、それを作動させることによって、この立ち上がり部４６からの溶液の流出を防止した。しかしながら、閉塞バルブ６６は必ずしも必要ではない。
【００４９】
図３に示す実施例では、立ち上がり部４６にたとえば管内壁にゴム輪（図示せず）を内蔵した短管６８を被せ、この短管６８を点線矢印で示すように軸方向に変位かつ固定可能にしておく。通常の水位設定時には、短管６８をたとえば一番下あるいはそれに近い第１の位置に固定しておき、溶液を循環させて分配すべきときには、短管６８をたとえば一番上あるいはそれに近い第２の位置に固定する。そうすると、給水管路１２内に一定程度の圧力がかかった場合でも、短管６８が第２の位置にあり短管６８に管端は通常時よりかなり高い位置にあるので、そこから溶液が流出することはない。
【００５０】
つまり、図３の実施例においては、このような、幹線管路１４の立ち上がり部４６上に設けられた変位、固定自在の短管６８が、流出防止手段として作用するのである。
【００５１】
なお、上述の実施例では圃場地下の暗渠について説明しなかったが、支線管路１８からの給水を受ける弾丸暗渠を形成してもよく、さらに、そのような弾丸暗渠をループ状に形成してもよい。
【００５２】
さらに、上述の実施例では、水槽５４を地上に設置したが、この水槽５４の下部あるいは全体を地中に埋めるように設置することも可能である。そうすれば、溶液投入管６０や戻り管６２を、地中で、水中ポンプ５８の吐出口や水槽５４に接続することができる。
【００５３】
さらに、上述の実施例では、投入手段および循環手段が水槽５４の溶液５６内に設置した水中ポンプ５８を含んで構成された。しかしながら、水槽５４を用いなくてもよい。その場合、水中ポンプ（図示せず）を単体で適宜の場所に設置し、水中ポンプの吐出口を先の実施例と同様に溶液投入管６０に連結する一方、水中ポンプの吸い込み口を先の実施例の戻り管６２に連結する。この場合、溶液循環の初期には、ポンプとは別の手段で、給水管路１２内に溶液を投入する必要がある。初期状態では、戻り管６２から戻る溶液がないからである。このようにすれば、投入手段と循環手段とを分離することができる。また、水槽を用いなくてもよいので、施工費用が安くなるし、水槽の設置場所を確保する必要がない。
【００５４】
特にこの実施例の場合、水中ポンプ（図示せず）の吐出口および吸い込み口と溶液投入管６０および戻り管６２とを着脱可能に構成しておいて、必要の都度水中ポンプを持ってきて、吐出口および吸い込み口と溶液投入管６０および戻り管６２とを連結するようにすればよい。そうすれば、水中ポンプを常設しておく必要はなくなる。
【００５５】
実施例の地下灌漑システム１０は、一例としてフォアス（FOEAS）と呼ばれる地下水位管理器を利用する地下灌漑システムであるが、この発明はこれに限るものではなく、自然圧を利用する、非循環型の地下灌漑システムには適用可能であることはいうまでもない。
【００５６】
さらにまた、この発明は、給水管路に「開放部」がないようなタイプの地下灌漑システムに対しても適用できる。その場合、先の実施例で必要としていた「開放部」からの流出を防止する流出防止手段は不要となるが、圃場内の用水を一定に保ちながら液肥や薬剤を投入、循環させるために、「給水遮断手段」や「排出遮断手段」が必要になる。先の実施例における逆止弁６４は、それが閉じられたとき水位管理器３６を経由した用水の幹線管路１４すなわち給水管路１２内への流入を阻止するので、ここでいう給水遮断手段に相当する。また、先の実施例における閉塞バルブ６６は、それが閉じられたとき水位設定器を経由して給水管路１２から用水が排出されるのを阻止するので、ここでいう排水遮断手段に相当する。同様に、図３実施例の短管６８も排水遮断手段として機能する。閉塞バルブ６６と同様の排水阻止機能を持つ図３実施例の短管６８も排水遮断手段の作用を果たす。
【符号の説明】
【００５７】
１０  …地下灌漑システム
１２  …給水管路
１４  …幹線管路
１６  …連通部
１８  …支線管路
２０、４６  …立ち上がり部
２２  …管端
２４  …用水桝
２６  …取水管
２８  …給水バルブ
３４  …送水管
３６  …水位管理器
４０  …接続管
４２  …フロート
５４  …水槽
５６  …溶液
５８  …水中ポンプ
６０  …投入管
６２  …戻り管
６４  …逆止弁
６６  …閉塞バルブ
６８  …短管
【図１】
2014187985.tif 000003
【図２】
2014187985.tif 000004
【図３】
2014187985.tif 000005